(57)【要約】      （修正有）【課題】複雑で繊細な胸腔排液用装置のような医療用吸引集液器を含む医療用バッグを車椅子に取り付けるための車椅子用治具を提供する。【解決手段】車椅子への医療用バッグ吊下げ用治具は、車椅子の肘掛けパイプ２の下面適所に下向きに形成された突起部６との係合によってパイプに固定される取付基部３と、取付基部から延びる脚部４または腕部と、を有しており、脚部または腕部には、医療用バッグを吊下げる鉤部５または屈曲部を設ける。【選択図】図１
0003208248.tif 000002
【実用新案登録請求の範囲】
【請求項１】
車椅子の肘掛けパイプの下面適所に下向きに形成された突起部との係合によって前記パイプに固定される取付基部と、
前記取付基部から延びる脚部または腕部と、を有しており、
前記脚部または腕部には、医療用バッグを吊下げる鉤部または屈曲部を設けることを特徴とする車椅子への医療用バッグ吊下げ用治具。
【請求項２】
前記突起部は、前記パイプの上面に取り付けられる肘掛けパットを固定するために、該パイプの下面側から該パットに向けて挿通されるねじの頭部である請求項１に記載の車椅子への医療用バッグ吊下げ用治具。
【請求項３】
前記取付基部は前記パイプを下面側から包摂する湾曲部を備えた板ばねを含み、且つ、該板ばねをボルトによりねじ止めする構成を含む請求項１または２に記載の車椅子への医療用バッグ吊下げ用治具。
【請求項４】
前記医療用バッグは、医療用吸引集液器を含む請求項１から３のいずれかに記載の車椅子への医療用バッグ吊下げ用治具。
【考案の詳細な説明】
【技術分野】
【０００１】
本考案は、車椅子への医療用バッグ吊下げ用治具に関する。
【背景技術】
【０００２】
従来、車椅子の使用者は、車椅子の駆動輪の外側にあるハンドリム（駆動握り）を回転させる際に両手を使うため、点滴等の医療処置を行う場合、車椅子の後方のスペースに点滴台を設けて行っている。また、採尿の際には、採尿バッグが人目に付かぬように、車椅子のフットガードの位置に収納バッグを設置することにより、車椅子の使用者の腰より下の位置に収納バッグを配置する方法が知られている。
【０００３】
例えば、特許文献１には、車椅子の進行方向に使用者の足を乗せるため設けられたフットレストを支持する２本の支柱に、上方に開口部を有し左右の側方及び下方は閉鎖されている袋状の収納バッグが開示されており、当該収納バッグの中に導尿バッグを収容できる前方バッグが取付けられる旨開示されている。
【先行技術文献】
【特許文献】
【０００４】
【特許文献１】特開２００１−１７４７８号公報
【考案の概要】
【考案が解決しようとする課題】
【０００５】
上記のように、点滴台や採尿バッグといった簡単な装置に関しては既に実用化されている。しかし、点滴や採尿より複雑で繊細な胸腔排液用装置については、それ自体が胸腔内に貯留した気体や排出液、分泌物を持続的に体外へ誘導するという高機能が求められる装置であるため、ベッドの上で寝た状態にある患者の側面に備え付けられているものしか知られていない。このような状況であるから、胸腔排液用装置に依存する患者や医療従事者からは、当該装置を含む医療用バッグを車椅子に取り付けて点滴台や採尿バッグのように携行でき、自由に所望の場所への移動ができるような装置の提供を望む声が多かった。
【０００６】
本考案は上記の事情に着目してなされたものであって、その目的は、上記胸腔排液用装置のように、特に医療用吸引集液器を含む医療用バッグを車椅子に取り付けるための車椅子用治具を提供することにある。
【課題を解決するための手段】
【０００７】
上記課題を解決し得た本考案の医療用バッグ吊下げ用治具は、車椅子の肘掛けパイプの下面適所に下向きに形成された突起部との係合によって該パイプに固定される取付基部と、該取付基部から延びる脚部または腕部と、を有しており、該脚部または腕部には、医療用バッグを吊下げる鉤部または屈曲部を設ける点に特徴を有する。
【０００８】
本考案の好ましい実施形態において、本考案の医療用バッグ吊下げ用治具は、突起部が肘掛けパイプの上面に取り付けられる肘掛けパットを固定するために、該パイプの下面側から該パットに向けて挿通されるねじの頭部であることが好ましい。
【０００９】
本考案の好ましい実施形態において、本考案の医療用バッグ吊下げ用治具は、取付基部がパイプを下面側から包摂する湾曲部を備えた板ばねを含み、且つ、該板ばねをボルトによりねじ止めする構成を含むことが好ましい。
【００１０】
なお、本考案の好ましい実施形態において、当該医療用バッグは、医療用吸引集液器を含むことが好ましい。
【考案の効果】
【００１１】
本考案の車椅子への医療用バッグ吊下げ用治具は、車椅子の肘掛けパイプの下面適所に下向きに形成された突起部との係合によって前記パイプに固定される取付基部と、前記取付基部から延びる脚部または腕部と、を有しており、該脚部または腕部には、医療用バッグを吊下げる鉤部または屈曲部を設ける構成である。つまり、車椅子に対して特段の改造を施すことなく、予め肘掛けパイプの下面に備わる突起部を有効利用することにより、該パイプと取付基部を容易に係合させることができると共に、取付基部から延びる脚部または腕部にある鉤部または屈曲部により、容易に医療用バッグを吊下げることができる。したがって、特に医療用吸引集液器を含む医療用バッグを車椅子に取り付けることが可能となり、これまでベッドの上で寝た状態にある患者の側面に備え付けられるものであった胸腔排液用装置を、当該治具を用いることにより簡単に車椅子に取り付けることができる。その結果、胸腔排液用装置に依存する患者や医療従事者は、当該装置を含む医療用バッグを点滴台や採尿バッグのように携行でき、自由に所望の場所への移動ができることから、患者の外出する機会が増え、患者の社会参加の機会を増やすことができる。
【図面の簡単な説明】
【００１２】
【図１】本考案の実施の形態に係る医療用バッグ吊下げ用治具を車椅子に取り付けた際の外観図である。
【図２】本考案の実施の形態に係る医療用バッグ吊下げ用治具における取付基部の断面拡大図である。
【図３】本考案の実施の形態に係る医療用バッグ吊下げ用治具主部材の正面図である。
【図４】本考案の実施の形態に係る医療用バッグ吊下げ用治具主部材の側面図である。
【図５】本考案の実施の形態に係る医療用バッグ吊下げ用治具主部材の平面図である。
【図６】本考案の実施の形態に係る医療用バッグ吊下げ用治具副部材の正面図である。
【図７】本考案の実施の形態に係る医療用バッグ吊下げ用治具副部材の側面図である。
【図８】本考案の実施の形態に係る医療用バッグ吊下げ用治具副部材の平面図である。
【考案を実施するための形態】
【００１３】
以下、図面を参照しつつ、本考案の実施の形態について説明するが、本考案は以下の実施の形態のみに限定されず、前・後記の趣旨に適合し得る範囲で変更を加えて実施することも可能であり、それらはいずれも本考案の技術的範囲に包含される。以下の説明では、同一の部品には同一の符号を付してある。
【００１４】
図１に、本考案の医療用バッグ吊下げ用治具の外観図を示す。図１に示すように、本考案の実施の形態に係る医療用バッグ吊下げ用治具１は、車椅子の肘掛けパイプ２に固定される取付基部３と、取付基部３から延びる脚部４と、を有しており、脚部４は医療用バッグを吊下げる鉤部５を有する。また、医療用バッグ吊下げ用治具１は、当該治具１が車椅子の駆動輪１０やハンドリム１１と接触しないように適度の間隔を設けて肘掛けパイプ２に固定される。
【００１５】
上記構成により、車椅子に対して特段の改造を施すことなく、肘掛けパイプ２にある突起部６をそのまま利用することにより、肘掛けパイプ２と取付基部３を容易に係合させることができる。また、取付基部３から延びる脚部４にある鉤部５により、容易に医療用バッグを吊下げることができる。
【００１６】
なお、本考案の実施の形態に係る医療用バッグ吊下げ用治具は、見かけ上、当該治具の大部分を構成する主部材と当該治具の一部を構成する副部材があり、以下、それぞれ、「医療用バッグ吊下げ用治具主部材」、「医療用バッグ吊下げ用治具副部材」ということがある。
【００１７】
また、本考案の実施の形態における医療用バッグとは、具体的には、胸腔内に貯留した気体や排出液、分泌物を持続的に体外へ誘導する胸腔排液用装置を内包して一体成形容器とした医療用吸引集液器であるとして、以下説明する。
【００１８】
図２に、本考案の医療用バッグ吊下げ用治具における取付基部の断面拡大図を示す。図２に示すように、取付基部３は、車椅子の肘掛けパイプ２の下面適所に下向きに形成された突起部６との係合によって、肘掛けパイプ２に固定されている。突起部６は、車椅子の肘掛けパイプ２の下面適所に予め備わるものであり、具体的には、肘掛けパイプ２の上面に取り付けられる肘掛けパット７を固定するために、肘掛けパイプ２の下面側から肘掛けパット７に向けて挿通されるねじの頭部であることが好ましい。
【００１９】
肘掛けパイプ２は、市販の車椅子に備えられているものであれば良く、パイプ径として２０〜３０ｍｍのものを用いることができる。
【００２０】
図１に示すように、脚部４は、取付基部３から延長する部分であり、その形状は、車椅子用治具１の構成に合せて適宜変更することが可能である。具体的には、取付基部３から床面側に向けて延びる部位（脚部）であっても良く、また、車椅子の駆動輪１０やハンドリム１１に触れることがないように取付基部３からさらに離間させる方向に延びる部位（腕部）であっても良い。この構成により、車椅子に取り付けられる医療用バッグの位置を所望の箇所に調整することができる。
【００２１】
図１に示すように、鉤部５は、医療用バッグを吊下げるために脚部４に設けられるものであり、その形状や取付け位置は、医療用バッグが落下することがないように適宜変更することが可能である。具体的には、Ｖ字状、Ｕ字状等のフックであっても良く、また、単に腕部が上方に折れ曲がった屈曲部であっても良い。例えばフックの場合、フックの数や取付け位置は適宜調節することができるが、車椅子の使用者が医療用バッグを容易に吊り下げられることを考慮して、床面側に向けて延びる脚部において床面と平行な位置に２箇所設けることが好ましい。
【００２２】
図３〜図５に本考案の医療用バッグ吊下げ用治具主部材の正面図、側面図、平面図をそれぞれ示す。図３〜図５に示すように、当該治具主部材１Ａは一体の金属板を加工したものである。図１、３に示すように、脚部４には、当該治具主部材１Ａの軽量化を考慮して、当該金属板の一部をくり抜く構成としても良い。また、図１、４に示すように、鉤部５は、脚部４の所望の箇所に溶接して固定させることができ、具体的にはＹＡＧ溶接を用いることができる。さらに、図１、５に示すように、当該治具主部材１Ａと当該治具副部材１Ｂを固定するためのボルト９を挿入するための孔部１２Ａが設けられている。
【００２３】
図６〜図８に本考案の医療用バッグ吊下げ用治具副部材の正面図、側面図、平面図をそれぞれ示す。図６〜８に示すように、当該治具副部材１Ｂは一体の金属板を加工したものであり、板ばね８として機能する。図１、８に示すように、肘掛けパイプ２の上面に取り付けられる肘掛けパット７を固定するために、肘掛けパイプ２の下面側から肘掛けパット７に向けて突起部６を含むねじを挿入するための孔部１３と、当該治具主部材１Ａと当該治具副部材１Ｂを固定するためのボルト９を挿入するための孔部１２Ｂが設けられている。
【００２４】
取付基部３が板ばね８を含み、且つ、該板ばね８をボルト９によりねじ止めする構成を含むことにより、取付基部３と肘掛けパイプ２が該肘掛けパイプ２の長手方向にずれて動くことがないように固定することができる。
【００２５】
板ばね８は、特段限定するものではないが、耐久性の観点から、ステンレス製が好ましく、具体的には厚さ３ｍｍのＳＵＳ３０４を用いることができる。
【００２６】
当該治具主部材１Ａの材質としては、耐久性の観点から、ステンレス製が好ましく、具体的にはＳＵＳ３０４を用いることができる。また、当該治具主部材１Ａ、及び当該治具副部材１Ｂのエッジ部は、車椅子の使用者が誤って怪我をすることがないように、エッジ加工を施すことが好ましい。
【００２７】
次に、本考案の車椅子への医療用バッグ吊下げ用治具の具体的な使い方について説明する。まず、胸腔排液用装置に依存する患者が当該医療用バッグ吊下げ用治具を使わない場合を想定してみる。例えば、患者に付き添う家族や医療従事者が患者を移送中に誤って医療用バッグを患者の胸部より高く持ち上げた場合、当該医療用バッグやチューブ内に貯留した排出液、及び分泌物等が胸部内に向けて逆流するという危険がある。
【００２８】
ここで、本考案の医療用バッグ吊下げ用治具を車椅子の肘掛けに装着して用いることにより、患者の胸腔内に貯留した排出液、及び分泌物等がチューブを通して鉤部に吊り下げられた医療用バッグに向かって持続的に誘導排出される。本考案の吊下げ用治具の場合、車椅子の肘掛けに装着されているので、常に患者の胸部より低い位置に保持され、このような逆流を生じることがない。したがって、胸腔排液用装置に依存する患者や患者に付き添う家族、及び医療従事者は、当該装置を含む医療用バッグを車椅子に取り付けて点滴台や採尿バッグのように携行でき、自由に所望の場所への移動ができる。
【００２９】
なお、上記実施の形態において、医療用バッグ吊下げ用治具として医療用吸引集液器を含む医療用バッグを車椅子に取り付けるための治具として説明したが、本考案の医療用バッグ吊下げ用治具はこのような用途に限定されるものではなく、例えば、眼鏡や書籍等の日常生活上必要な身の回りの物品を収納することも可能であり、車椅子の使用者が所望の場所へ移動する際には、当該物品等を常時携行することができる。
【符号の説明】
【００３０】
１      医療用バッグ吊下げ用治具
１Ａ    医療用バッグ吊下げ用治具主部材
１Ｂ    医療用バッグ吊下げ用治具副部材
２      肘掛けパイプ
３      取付基部
４      脚部
５      鉤部
６      突起部
７      肘掛けパット
８      板ばね
９      ボルト
１０    駆動輪
１１    ハンドリム
１２Ａ  孔部
１２Ｂ  孔部
１３    孔部
【図１】
0003208248.tif 000003
【図２】
0003208248.tif 000004
【図３】
0003208248.tif 000005
【図４】
0003208248.tif 000006
【図５】
0003208248.tif 000007
【図６】
0003208248.tif 000008
【図７】
0003208248.tif 000009
【図８】
0003208248.tif 000010